(57)【要約】      （修正有）【課題】洗浄槽を引き出すことなしに残菜フィルターを取り出せるようにして残菜フィルターの取り出しを容易にし、洗浄運転終了後に残菜フィルター掃除ランプを点灯させることによって残菜フィルターの掃除を促すことができる引出式食器洗い機を提供する。【解決手段】引出式食器洗い機について、洗浄槽２の前壁３に前扉ユニット３０が開閉自在に洗浄槽２に設けられており、洗浄槽２の前壁下部に残菜フィルター取り出し口１０が設けられており、洗浄槽２の前壁に上記残菜フィルター取り出し口１０を開閉する補助扉２０が設けられており、上記補助扉２０の開閉動作を検出する補助扉動作検出手段が設けられており、上記前扉ユニット３０の表示器に残菜フィルター掃除ランプ５０が設けられており、洗浄運転が終了したとき、上記残菜フィルター掃除ランプ５０が点灯し、上記補助扉２０が開かれたとき、上記残菜フィルター掃除ランプ５０を消灯する。【選択図】図１
2008092985.tif 000002
【特許請求の範囲】
【請求項１】
流し台に組み込まれる食器洗い機本体に洗浄槽が前後方向に出し入れ自在に支持されており、
食器洗い機本体から洗浄槽が引き出されて食器の出し入れがなされる引出式食器洗い機において、
洗浄槽の前扉に前扉ユニットが開閉自在に設けられており、
洗浄槽の前壁下部に残菜フィルター取り出し口が設けられており、
洗浄槽の前扉に上記残菜フィルター取り出し口に対する補助扉が開閉自在に設けられており、
上記補助扉の開閉動作を検知する補助扉動作検知手段が設けられており、
上記前扉の表示器に残菜フィルター掃除ランプが設けられており、
洗浄運転が終了したとき、上記残菜フィルター掃除ランプが点灯し、上記補助扉が開かれたとき、上記残菜フィルター掃除ランプが消灯するようになっている引出式食器洗い機。
【請求項２】
上記前扉ユニットがその下端を支点にして前後方向に開閉自在に設けられている請求項１の食器洗い機。
【請求項３】
上記補助扉動作検知手段がリミットスイッチであり、補助扉の外側面に固定されており、上記前扉ユニットの開閉動作に応答してＯＮ／ＯＦＦされる請求項１の引出式食器洗い機。
【請求項４】
流し台に組み込まれる食器洗い機本体に洗浄槽が前後方向に出し入れ自在に支持されており、
食器洗い機本体から洗浄槽が引き出されて食器の出し入れがなされる引出式食器洗い機において、
洗浄槽の前扉に前扉ユニットが開閉自在に設けられており、
洗浄槽の前壁下部に残菜フィルター取り出し口が設けられており、
上記前扉ユニットに上記残菜フィルター取り出し口に対する補助扉が一体に設けられており、
上記補助扉の開閉動作を検知する補助扉動作検知手段が設けられており、
上記前扉の表示器に残菜フィルター掃除ランプが設けられており、
洗浄運転が終了したとき、上記残菜フィルター掃除ランプが点灯し、上記補助扉が開かれたとき、上記残菜フィルター掃除ランプが消灯するようになっている引出式食器洗い機。
【請求項５】
上記前扉ユニットがその下端を支点にして前後方向に開閉自在に設けられている請求項請求項４の食器洗い機。
【請求項６】
上記補助扉動作検知手段がリミットスイッチであり、前扉の外側面に固定されており、上記前扉ユニットの開閉動作に応答してＯＮ／ＯＦＦされる請求項４の引出式食器洗い機。
【請求項７】
洗浄運転が終了してから所定時間経過するまで補助扉が開かれないとき、上記残菜フィルター掃除ランプを消灯させるようになっている請求項１又は請求項４の引出式食器洗い機。
【請求項８】
洗浄運転が終了してから補助扉が開かれないとき、所定時刻から２時間経過するまでの間、３０分間隔で１０分間残菜フィルター掃除ランプを点灯させるようになっている請求項７の引出式食器洗い機。
【請求項９】
上記残菜フィルター掃除ランプが点滅ランプである請求項１又は請求項４の引出式食器洗い機。
【請求項１０】
上記残菜フィルター掃除ランプの代わりに音声表示器が設けられており、当該音声表示器がリズミカルなメロディー音を発する表示器である請求項１又は請求項４の引出式食器洗い機。
【発明の詳細な説明】
【技術分野】
【０００１】
この発明は、引出式食器洗い機、殊にその残菜フィルター取り出し口の構造に関するものであり、洗浄槽を引き出すことなしに残菜フィルターを取り出せるようにして残菜フィルターの取り出しを容易にし、洗浄運転終了後に残菜フィルター掃除ランプを点灯させることによって残菜フィルターの掃除を促すことができるものである。
【背景技術】
【０００２】
ビルトインタイプの食器洗い機には大別して前開き式のもの、引出式のものがあり、これらは基本構造が全く異なるので、残菜フィルターを取り出して掃除するための残菜フィルター取り出し構造が大きく異なる。
前開き式のものは、残菜フィルターが前扉の下端よりも低い位置にあるので、前扉よりも下方の前壁に残菜フィルター取り出し口を設けてあり、残菜フィルターを前方に取り出せるようになっている。そして、そのための具体的構造は様々であり（例えば、特開平７−２８４４６８号公報、特開２００３−１４４３７３号公報、特開平４−１０９９２４号公報等）、また、前壁に残菜フィルターを取り出すための補助扉を設け、当該補助扉が前方に開かれたとき、残菜フィルターが前方に引き出されるようにして、その出し入れを簡単容易にしたものもある（例えば、実開平６−８１４５２号公報）。
【０００３】
他方、引出式の食器洗い機は、その洗浄槽が上方に開放されていて、前方に大きく引き出されるので、残菜フィルターは洗浄槽の上方開口から出し入れされるのが一般的であり（例えば、特開２００３−５２０号公報）、このような引出式食器洗い機では、その食器カゴの底部に残菜フィルター取り出し用の開口を設けて、この開口から洗浄内の食器カゴの中を通って上方開口から出し入れする必要があり、このため、残菜フィルターの出し入れが容易でなく、さらに、食器カゴの中で残菜のしずくが落ちる恐れがあるなど、衛生上好ましくない。 
【０００４】
また、引出式食器洗い機の残菜フィルターを出し入れするための構造のものが有する上記問題を回避するために、洗浄槽に出し入れ口を設けて、ここから残菜フィルターを出し入れするようにしたものがある（特開２００３−２４２５９号公報）。これは図６に示すとおりであり、その概要は、食器洗い機本体１の洗浄槽２の側壁の前方部に残菜フィルター出し入れ口（丸孔）Ｈを設け、洗浄槽を引き出した状態で上記残菜フィルター出し入れ口Ｈから残菜フィルター４を出し入れするものである。洗浄槽２の前壁に前扉ユニット３が固定されており、前扉ユニット３の把手７を持って洗浄槽２が出し入れ操作される。洗浄槽２が食器洗い機本体１に押し込まれたとき、食器洗い機本体の前面開口が上記前扉ユニット３で閉じられ、また、洗浄槽１の上方開口が、当該洗浄槽１の出し入れ操作に連動して、食器洗い機本体内の中蓋で自動的に閉じられる。
【０００５】
洗浄槽２が食器洗い機本体内に押し込まれてロックされ、操作部５で洗浄コースが選択されるなどの準備がなされ、スタートボタン６が押されると、給水、洗浄、排水、すすぎ、排水、乾燥などの工程が順次実行される。そして、選択されたコースの所定のプログラムが終了すると、洗浄運転が自動的に停止される。
洗浄運転が行われると、残菜が残菜フィルターに捕捉されており、これが放置されると異臭を放つようになる等の問題があるので、洗浄運転が終了する度に残菜フィルターを取り出して掃除する必要がある。
【０００６】
〔従来技術の問題点〕  
引出式食器洗い機について、洗浄槽の側壁下部の開口部から残菜フィルターを出し入れできるようにしたものは、洗浄槽の上方開口から残菜フィルターを出し入れすることにより上記の問題を解消しているが、次のような他の問題がある。
すなわち、引出式食器洗い機では、上方が開口している洗浄槽の底のくぼみに残菜フィルターがあるので、これに捕捉された残菜が目に付きにくく、また、その出し入れが簡単でなく、面倒であることもあって、現実問題として、洗浄運転が終了して後は食器を取り出さないでそのままにしておくことがしばしばある。このようないろいろの事情から、洗浄運転終了後に残菜フィルターが掃除されないでそのまま放置されることが少なくない。
【０００７】
上記問題を防ぐには、残菜フィルターの出し入れを簡単容易にすることが必要であり、また、洗浄運転終了後に残菜フィルターを掃除するように注意を喚起することが必要である。そのためには洗浄槽を押し込んだ状態のままで残菜フィルターを出し入れできるように、残菜フィルターの出し入れ構造を工夫し、また、残菜フィルターが掃除されないままで放置されているときはこれを検知して、これを掃除することを催促するような何らかの工夫が必要である。
【特許文献１】特開平７−２８４４６８号公報
【特許文献２】特開２００３−１４４３７３号公報
【特許文献３】特開平４−１０９９２４号公報
【特許文献４】実開平６−８１４５２号公報
【特許文献５】特開２００３−５２０号公報
【特許文献６】特開２００３−２４２５９号公報
【発明の開示】
【発明が解決しようとする課題】
【０００８】
この発明は、引出式食器洗い機の上記問題を解消することを目的として、次の事項をその課題１、課題２とするものである。
課題１
（１）洗浄槽を引き出すことなしに、簡単容易に残菜フィルターを取り出すことができるように、その取り出し構造を工夫すること。
課題２
（２）洗浄運転終了直後に残菜フィルターを掃除することを催促できるように何らかの工夫をすること。
【課題を解決するための手段】
【０００９】
上記課題１，課題２を解決するための手段は、引出式食器洗い機を前提として、次の（イ）〜（ホ）によるものである。
（イ）洗浄槽の前扉に前扉ユニットが開閉自在に設けられており、洗浄槽の前壁下部に残菜フィルター取り出し口が設けられており、
（ロ）洗浄槽の前扉に上記残菜フィルター取り出し口を開閉する補助扉が設けられており、
（ハ）上記補助扉の開閉動作を検知する補助扉動作検知手段が設けられており、
（ニ）上記前扉の表示器に残菜フィルター掃除ランプが設けられており、
（ホ）洗浄運転が終了したとき、上記残菜フィルター掃除ランプが点灯し、上記補助扉が開かれたとき、上記残菜フィルター掃除ランプが消灯するようになっていること。
【００１０】
なお、残菜フィルター取り出し口の高さ位置は、残菜フィルターを容易に取り出せる位置であればよく、そのような位置は残菜フィルターよりも少し高い。
また、上記要件（ホ）の洗浄運転には、残菜が残らない洗浄運転（例えばすすぎと乾燥だけの洗浄運転等）は含まれない。
【００１１】
洗浄槽を食器洗い機本体に押し込んだ状態で洗浄槽の前扉ユニットを開き、洗浄槽の前扉下部の補助扉を開くことにより、残菜フィルター取り出し口から残菜フィルターを出し入れすることができるので、残菜フィルターの出し入れ操作が簡単であり、また、それが洗浄槽内の食器カゴ、当該食器カゴに入れた食器等と干渉することも、落下するしずくなどで食器、床等を汚すこともないので、残菜フィルターの出し入れを簡単容易に行うことができる。
【００１２】
洗浄運転が終了すると、前扉の表示器に残菜フィルター掃除ランプが点灯して、残菜フィルターを掃除することを使用者に催促する。残菜フィルターを取り出して掃除し、再び収納して上記補助扉が閉じられると、このことが補助扉動作検知手段で検知される。補助扉を開閉操作するのは、残菜フィルターを取り出す場合だけであり、前扉ユニットを開閉操作するのは補助扉を開閉操作する場合だけであるので、前扉ユニットが開閉操作されたことの検知信号により、補助扉が開閉操作され、残菜フィルターが出し入れされたものと見なすことができ、これで大きな誤りはない。
【００１３】
なお、上記の残菜フィルター掃除ランプ表示は、残菜フィルターが掃除されていないことを知らせて注意を促す表示であるから、連続点灯よりも点滅点灯の方が効果的であり、また、点灯時間の経過とともに点滅間隔を段々に短縮するなど、点灯表示の仕方を工夫することで、注意喚起効果を一層高めることもできる。
【００１４】
また、補助扉の開閉操作と残菜フィルターの出し入れ操作とを食器洗い機の正面から別々に順次行う構造であるから、残菜フィルターの出し入れ操作が容易であり、補助扉による上記取り出し口の開閉操作が簡単容易であり、かつ上記取り出し口の密閉が確実になされるから、装着不良、密閉不良によって漏水することを確実に防止することができる。
【００１５】
上記の補助扉動作検知信号で上記残菜フィルター掃除ランプが消灯される。
なお、開閉される前扉ユニットが他の目的で開閉操作される可能性がある場合は、補助扉の開閉操作を直接検知する検知手段にする必要がある。
残菜フィルター掃除ランプは、使用者に残菜フィルターの掃除を促す手段の一つである。この手段としては文字表示器、点滅表示器などの視覚に訴える表示器の他、聴覚に訴える音声表示器などもある。しかし、音声表示器は使用者に不快感を与える恐れがあるので、この点に十分配慮する必要があり、リズミカルなメロディー音を発するものが好ましい。なぜなら、このようなものは、余り耳障りにならず、また強要されているという不快感を与えることが少ないからである。音による表示に対しては人によって好みが異なるので、音声表示はオプションとし、これを希望する者はそのメロディーを、いわゆる携帯電話の着信音のように、好みに応じて様々に選択できるようにするとよい。
【００１６】
また、例えば、オプションなどで音声表示器を採用する場合は、その音声表示が洗浄運転終了を報知する音声表示と明確に区別されるものであることが必要であり、また、洗浄運転終了後しばらくして（例えば数秒後）に残菜フィルターの掃除を催促する音声表示が開始されるようにするのがよい。
残菜フィルター掃除ランプに変えて音声表示器を採用するときは、音声表示器は前扉ユニットの上部に設ける必要はなく、前扉の内部空間に設けることもできる。そうすれば、表示器が外観上目立たず、したがって、配置位置の選択の自由度が大きい。
【００１７】
前扉ユニットについては、その側端を支点として左右方向に開閉されるようにすることもできるが、その下端を支点にして前後方向に開閉される構成にすれば、前扉ユニットが洗浄槽の前方に水平状態に展開される。そうすると、残菜フィルターが取り出されたとき、残菜フィルター内の残菜からしずくが落ちても、このしずくは水平状態に開かれた前扉上に落下するので、キッチンの床を汚すことはない。
なお、残菜フィルター掃除ランプは、補助扉が開閉されたことを条件として消灯されるが、洗浄運転が終了して残菜フィルター掃除ランプが点灯してから所定時間（例えば１０分間）経過したときに消灯されるようにする。なぜなら、残菜フィルター掃除ランプが点灯してから例えば１０分経過しても残菜フィルターが掃除されなければ、残菜フィルター掃除ランプの点灯をさらに継続しても、実際には余り効果が期待されないからである。
【００１８】
例えば、就寝後に食器洗い機が自動的に始動するように設定した場合など、洗浄運転が終了してすぐ後に残菜フィルターを掃除することがそもそもできない使い方がされる場合がある。このような場合は、翌朝早々に残菜フィルターを掃除するよう注意を促す必要がある、なぜなら、その時期を通り過ぎると、結局、残菜フィルターを掃除しないままで長時間放置される可能性が高くなるからである。このような場合に備えて、所定時刻（例えば午前６時頃）から所定時間（例えば２時間程度）、所定間隔（例えば３０分間隔程度）で、所定時間（例えば１０分間程度）、残菜フィルター掃除ランプを点灯させて、その間に残菜フィルターを掃除するよう繰り返し注意を促すようにすることができる。
【００１９】
上記の場合の注意喚起（残菜フィルターを掃除するように注意喚起）には、音声表示を用いるのがよいが、その場合は、早朝の家庭内の雰囲気に相応しい静かなメロディ音を用いるのがよい。また、いうまでもないが、この注意喚起ための表示は、その前に食器洗浄運転がなされ、それまで残菜フィルターの掃除がなされていないことが条件である。
そして、上記の「所定時間」（例えば２時間程度）、「所定間隔」（例えば３０分程度）、「所定時間」（例えば１０分程度）等は、調整可能にして使用者の希望に合わせて設定するのがよい。
【００２０】
また、補助扉動作検知手段からの検知信号を食器洗い機の洗浄運転の開始条件とすること、すなわち、残菜フィルターの掃除がなされなければ次にスタートボタンを押しても次の洗浄運転が開始されないようにすることもできる。しかし、このようにすると効果は顕著であるが、残菜フィルターの掃除を強制することになり、また、無用なトラブルの原因になるおそれもあるので、これはオプションにするのがよい。
【００２１】
さらに、洗浄槽の残菜フィルター取り出し口を開閉する補助扉を、前扉ユニットと一体にし、前扉ユニットの開閉によって、洗浄槽の前壁の残菜フィルター取り出し口が同時に開閉されるようにすることもできる。このようにすると、前扉ユニットを開くだけで残菜フィルター取り出し口が開かれるから、この取り出し口の開閉操作が簡単で便利である。なお、このような構造にするときは、洗浄槽の残菜フィルター取り出し口が確実に密閉されその高い密封精度が長期に維持されるように補助扉の密閉構造を工夫する必要がある。
【発明の効果】
【００２２】
食器カゴの底部開口、洗浄槽の上方開口から残菜フィルターを出し入れする引出式食器洗い機について、洗浄槽を引き出すことなしに洗浄槽の前面から残菜フィルターを出し入れすることができるようにしたことにより、残菜フィルターの掃除を簡単容易に行うことができ、かつまた、洗浄運転終了後に残菜フィルター掃除ランプを点灯させるようにし、また、補助扉の開閉がなされなければこのことによって残菜フィルターが掃除されていないと見なし、補助扉が開閉されたときは残菜フィルターが掃除されたものと見なして残菜フィルター掃除ランプを消灯するようにしたものであるから、洗浄運転終了後に、速やかに残菜フィルター掃除がされるようになる。
したがって、残菜フィルターが掃除されないままで放置されることは防止される。
【発明を実施するための最良の形態】
【００２３】
次いで、図１〜図４を参照しつつ実施例を説明する。前扉ユニットは下端を支点にして前後方向に開閉する構造の方が使い勝手がよく、衛生的である等の利点があるので、この実施例は前扉ユニットを前後方向に開閉する形態にしたものである。
また、この実施例は補助扉動作検知手段を、機構が最も単純でメンテナンスが容易なものにしている。
【００２４】
〔実施例１〕
引出式食器洗い機の洗浄槽２の前扉３の前面下端に水平なヒンジピン１１，１１があり、このヒンジピン１１，１１で前扉ユニット３０の下端を枢支させている。これにより、前扉ユニット３０が前後方向に開閉されるように洗浄槽２の下端に連結されている。
前扉ユニット３０の上端裏面に磁石係止片３０ｍがあり、これが洗浄槽２の前扉３の上部構造体に吸着して前扉ユニット３０を閉位置に係止する。
【００２５】
洗浄槽２の前壁２５に近接して洗浄ノズル８の水平アーム８ａの下方に残菜フィルター収容部があり、当該収容部に残菜フィルター４が収容されており、また、残菜フィルター取り出し口１０が洗浄槽の前壁下部に設けられている。この残菜フィルター取り出し口１０よりも少し低い位置に残菜フィルターがあり、これにより、残菜フィルターの取り出し操作、すなわち、上記残菜フィルター取り出し口１０から手を差し込み、残菜フィルター４の取っ手４ａを持って少し持ち上げて収容部から外し、その状態でほぼ水平にして引き出すという、操作を容易に行うことができる。
【００２６】
上記残菜フィルター取り出し口１０は横幅１８０ｍｍ、高さ１３０ｍｍの四角な開口部である。そして、この残菜フィルター取り出し口１０を洗浄槽の外側から開閉される補助扉２０が洗浄槽の前壁下部に取り付けられている。洗浄槽２の前壁２５に水平なヒンジピン２１，２１があり、当該ヒンジピン２１，２１により補助扉２０の下部が枢支されていて、補助扉２０が前後方向に開閉されるように、洗浄槽２の前壁２５に連結されている。
補助扉２０の内側面にパッキン２０ｐがあり、洗浄槽２の残菜フィルター取り出し口１０周縁に当接して補助扉２０と洗浄槽２の前壁２５との当接部を密封している。
【００２７】
洗浄槽２の前壁２５の外面に板ばね係止片２２が止めネジ２３で固定されており、この板ばね係止片２２によって補助扉２０が閉位置に係止される。板ばね係止片２２は厚さ０．８ｍｍ、幅５０ｍｍのばね鋼製であり、上方に凸に屈曲された係止部２２ａを有し、当該係止部２２ａに補助扉２０の上端のＶ形凸部２０ａが嵌り込んだとき、補助扉２０は板ばね係止片２２で洗浄槽２の外面に圧接された状態に保持される。補助扉２０の裏面周縁にパッキン２０ｐが取り付けられており、これで洗浄槽２の前壁２５に圧接されて、残菜フィルター取り出し口１０を補助扉２０によって密封する。
補助扉２０の前面上部の把手２０ｂに指をかけて引っ張ると、上記Ｖ形凸部２０ａが板ばね係止片の弾力に抗して同係止片から外れ、補助扉２０が開かれる。
【００２８】
補助扉２０の前面下部に扉スイッチ４０が固定されている。この扉スイッチ４０は、補助扉２０が閉じられ、さらに前扉ユニット３０が閉じられたとき、前扉ユニット３０で押されてＯＮし、前扉ユニット３０が開かれたときにＯＦＦする。
【００２９】
前扉ユニット３０の前面上端の把手３１に指をかけて引っ張ると、前扉ユニット３０に対する磁石係止片３０ｍによる係止が外れて、前扉ユニット３０が手前に開かれ、キッチンの床面から少し上でほぼ水平状態になる。前扉ユニット３０を開き、補助扉２０が開かれれば、残菜フィルター４を残菜フィルター取出し口１０から取り出すことができるようになる。
【００３０】
洗浄運転が終了すると、このときは扉スイッチ４０は閉じているので、残菜フィルター掃除ランプ５０（図１参照）が点灯して、残菜フィルター４を掃除することを促す。前扉ユニット３０が開かれると、扉スイッチ４０がＯＦＦされるので、残菜フィルター掃除ランプ５０が消灯される。このランプ表示は点滅表示とし、点灯時間が経過するにつれて点滅を激しくすれば、その点灯による表示効果は一層顕著になる。また、点灯時間が経過するにつれて、ランプの発光強さを徐々に強くするのもよい。
【００３１】
また、残菜フィルター掃除ランプ５０の点灯駆動回路（図示略）にタイマーを介在させてあり、洗浄運転が終了し上記ランプ５０が点灯してから５〜１５分（例えば１０分）経過したとき、上記点灯駆動回路が開かれて消灯する。そして、残菜フィルター掃除ランプが消灯したとき、タイマーがリセットされるようになっている。
【００３２】
つまり、図４に示すように、洗浄運転が終了する（ＳＴ１）と、残菜フィルター掃除ランプが点灯し（ＳＴ２）、その後、扉スイッチ４０がＯＦＦすれば（ＳＴ３）、残菜フィルター掃除ランプ５０は消灯される（ＳＴ４）。他方、扉スイッチ４０がＯＦＦされなければ（ＳＴ３）、１０分経過すると（ＳＴ５）、残菜フィルター掃除ランプが消灯される（ＳＴ６）。
【００３３】
なお、残菜フィルター掃除ランプによる表示を音声表示にするときは、その表示音をメロディー音にし、また、そのメロディー音を多数の中から選択できるようするのがよい。しかしそうすると、表示器の駆動回路がランプ表示の場合に比して複雑になり、コスト高になるので、具体的設計においては、音声表示の駆動回路についてできるだけ単純で低コストになるように工夫する必要がある。
また、上記の残菜フィルターの掃除を催促する注意喚起の表示は、ランプ表示か音声表示の一方で足りるが、これを併用すればその注意喚起効果は一層顕著で、確実である。
【００３４】
以上、注意喚起のための表示を、洗浄運転直後に行う場合について説明したが、注意喚起のための表示を早朝の所定時刻（例えば午前６時）に行う場合も同様である。ただし、この場合は、運転終了から所定時間が経過してランプ表示が消灯されている第１の条件とし、その後、所定時刻（例えば午前６時）になったことを第２の条件とすることになる。この２つの条件で残菜フィルター掃除ランプが所定時間（例えば１０分間）点灯する。この点灯については、点滅表示としこれが例えば２時間継続するようにしてもよいが、例えば、３０分間隔で１０分間点灯するようにしてもよい。そして２時間経過したとき、タイマーからの信号で停止するようにするのがよい。
また、上記の１０分間の点滅点灯の最後の１分間に音声表示を併用すれば、注意喚起効果は一層高くなる。
【００３５】
以上は、洗浄運転が終了したとき、速やかに残菜フィルターを掃除することとし、それが実際上できないような洗浄運転が夜間においてなされる場合は、なるべく早い時期に残菜フィルターを掃除することとするとの考えを基本としている。
しかし、例えば、洗浄運転終了の度に速やかに残菜フィルターを掃除するのでなく、早朝の忙しいときではなくて落ち着いた時間帯に毎日一回洗浄することが希望されることもある。このような希望に対応するには、残菜フィルター掃除ランプの点灯表示の駆動回路の作動時間帯を適宜設定できるようにし、個々の使用者の希望に適うようにその時間帯を設定するようにすればよい。ただし、この場合は、設定時間帯に洗浄運転がなされなければ、残菜フィルター掃除ランプ５０は点灯しないので、設定時間帯の前に洗浄運転がなされた場合はその設定時間帯に洗浄運転がなされなくても、その時間帯の終点において残菜フィルター掃除ランプを点灯させるようにする必要がある。
【００３６】
〔変更例〕
実施例１では上記補助扉２０の開閉動作を検知する補助扉動作検知手段として、扉スイッチ４０を補助扉２０の前面下部に設けていて、当該扉スイッチ４０が前扉ユニット３０の開閉によってＯＮ／ＯＦＦするようになっているが、補助扉２０の開閉によってＯＮ／ＯＦＦする扉スイッチ４０にすることもできる。この場合は、例えば、洗浄槽２の前壁２５に非接触型スイッチを設け、さらに、補助扉に磁石を設けて、補助扉が閉じられて非接触型スイッチに接近したとき、上記磁石の磁力で駆動されて当該スイッチが開かれるようにすることができる。
【００３７】
また、実施例１では、洗浄槽の前扉ユニット３０は、洗浄槽の前面の大部分が開閉扉になっているが、補助扉２０と重なっている部分だけを開閉扉とし、これを開いてから、補助扉２０を開くようにすることもできる。コスト的には実施例のような全面扉にする構造が有利であるが、一部を開閉扉とする構造は、扉が小さく軽く操作される点で有利である。
また、実施例１では、補助扉２０をその側端を支持点として左右方向に開閉する構成してもよく、機能面においてもまた使い勝手の面においても特に問題はない。
【００３８】
〔実施例２〕
次いで、洗浄槽の残菜フィルター取り出し口を開閉する補助扉を、前扉ユニットと一体にし、前扉ユニットの開閉によって、洗浄槽の前壁の残菜フィルター取り出し口が同時に開閉されるようにした構造の例（実施例２）を図５を参照しつつ説明する。
実施例１は補助扉２０が前扉ユニット３０とは別体で別個に開閉操作されるものであるが、これに対して、実施例２は補助扉２０１を前扉ユニット３０１と一体にした点が相違する。
補助扉２０１は前扉ユニット３０１の内側面に固着（又は一体に形成）されており、その外周にパッキン２０１ｐが取り付けられている。
【００３９】
前扉ユニット３０１はヒンジピン１１を軸にして前後方向に開閉操作される。前扉ユニット３０１が閉じられると、補助扉２０１が前扉３の残菜フィルター取り出し口に嵌り込んでこれを密閉する。前扉ユニット３０１が開かれると、補助扉２０１が前扉３の残菜フィルター取り出し口から抜け出し、これによって残菜フィルター取り出し口１０が開かれる。
前扉３の前面に扉スイッチ４０１が配置されており、これが前扉ユニット３０１の開閉によってＯＮ／ＯＦＦされる。
この実施例２によるときは、前扉ユニット３０１を開くだけで残菜フィルター取り出し口１０が開かれるから、この取り出し口１０の開閉操作が簡単で便利であるが、上記パッキン２０１ｐによる密封が長期間確保されるようにするとともに、このパッキン２０１ｐによるシール機構のために前扉ユニット３０の開閉操作に対する抵抗が大きくならないように、そのシール機構を工夫する必要がある。そのためには、残菜フィルター取り出し口１０を丸孔にし、パッキン２０１ｐを耐摩耗性の高い合成樹脂（例えば、ポリエチレンテレフタレート）製の多重リップシールにすればよい。
【図面の簡単な説明】
【００４０】
【図１】は実施例１の要部断面図である。
【図２】は実施例１の洗浄槽の前壁の要部正面図である。
【図３】は実施例１の洗浄槽の前壁の要部断面図である。
【図４】は残菜フィルター掃除ランプの点灯制御のフロー図である。
【図５】は、実施例２の要部断面図である。
【図６】は従来例の斜視図である。
【符号の説明】
【００４１】
１：食器洗い機本体
２：洗浄槽
３：前扉
４：残菜フィルター
４ａ：取っ手
５：操作部
６：スタートボタン
７：把手
１０：残菜フィルター取り出し口
２０，２０１：補助扉
２０ａ：Ｖ形凸部
２０ｐ，２０１ｐ：パッキン
１１，２１：ヒンジピン
２２：板ばね係止片
２２ａ：係止部
２２ｂ：補助扉２０の把手
２５：前扉
３０，３０１：前扉ユニット
３０ｍ：磁石係止片
３１：把手
４０，４０１：扉スイッチ
５０：フィルター掃除ランプ
【図１】
2008092985.tif 000003
【図２】
2008092985.tif 000004
【図３】
2008092985.tif 000005
【図４】
2008092985.tif 000006
【図５】
2008092985.tif 000007
【図６】
2008092985.tif 000008